【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
ページ・リダイレクト方法であって、
端末装置により送信された第１のアクセス要求に基づいて、前記第１のアクセス要求に対応しネットワーク・サーバによりフィードバックされた第１のアクセス応答を受信するステップであって、前記第１のアクセス要求はユーザがアクセスする必要があるページの第１のアクセス・アドレスを含むステップと、
リダイレクト決定指示に従って、前記第１のアクセス応答の復帰コードを修正し、リダイレクト先ページの少なくとも１つの第２のアクセス・アドレスおよび前記第１のアクセス・アドレスを前記第１のアクセス応答に追加するステップと、
前記端末装置が前記修正された復帰コードに従って第２のアクセス要求を送信し、前記端末装置が、前記第２のアクセス要求に対して返された第２のアクセス応答に従って、前記ユーザがアクセスする必要があるページおよび前記リダイレクト先ページを開くように、リダイレクト処理が実施される前記第１のアクセス応答を前記端末装置に送信するステップと、
を含む、方法。
【請求項２】
前記第１のアクセス要求に対応しネットワーク・サーバによりフィードバックされた第１のアクセス応答を受信する前に、
前記端末装置により送信された前記第１のアクセス要求を受信するステップと、
前記リダイレクト決定指示に従って前記第１のアクセス・アドレスを取得し前記第１のアクセス要求に格納するステップと、
前記第１のアクセス要求を前記第１のアクセス・アドレスに対応するネットワーク・サーバに送信するステップと、
をさらに含む、請求項１に記載の方法。
【請求項３】
前記リダイレクト決定指示に従って前記第１のアクセス・アドレスを取得し前記第１のアクセス要求に格納する前に、
リダイレクト処理ルールに従って、前記第１のアクセス要求に対してリダイレクト処理を実施すると決定するステップであって、前記リダイレクト処理ルールは、ネットワーク・サーバにより通知されたバージョン更新メッセージが検出されたとき、前記バージョン更新メッセージにおいて、前記リダイレクト先ページのアクセス・アドレスをプロンプト・ページのアクセス・アドレスに設定することを含む、ステップ、または
新規ショート・メッセージが検出されたとき、前記リダイレクト先ページのアクセス・アドレスを前記新規ショート・メッセージで通知されたプロンプト・ページのアクセス・アドレスに設定するステップ
をさらに含む、請求項２に記載の方法。
【請求項４】
前記リダイレクト処理ルールはさらに、リダイレクトを１度実施した後、前記リダイレクト処理ルールをキャンセルするステップを含む、請求項３に記載の方法。
【請求項５】
リダイレクト処理が実施される前記第１のアクセス応答を前記端末装置に送信して、前記端末装置が前記修正された復帰コードに従って第２のアクセス要求を送信するようにした後、
前記修正された復帰コードに従って、前記第１のアクセス・アドレスおよび前記少なくとも１つの第２のアクセス・アドレスを含み前記端末装置により送信された前記第２のアクセス要求を受信するステップと、
前記第２のアクセス要求を前記第１のアクセス・アドレスおよび前記少なくとも１つの第２のアクセス・アドレスに対応するネットワーク・サーバに送信するステップと、
前記第２のアクセス要求に対応し前記ネットワーク・サーバによりフィードバックされた前記第２のアクセス応答を受信するステップであって、前記第２のアクセス応答は、前記第１のアクセス・アドレスに対応するアクセス応答および前記少なくとも１つの第２のアクセス・アドレスに対応するアクセス応答を含む、ステップと、
前記第２のアクセス応答を前記端末装置に送信して、前記端末装置が、前記第２のアクセス応答に従って、前記ユーザがアクセスする必要があるページおよび前記リダイレクト先ページを開くようにするステップと、
をさらに含む、請求項１乃至４の何れか１項に記載の方法。
【請求項６】
端末装置により送信された第１のアクセス要求に基づいて、かつ、受信器を制御することによって、前記第１のアクセス要求に対応しネットワーク・サーバによりフィードバックされた第１のアクセス応答を受信するように構成された受信制御モジュールであって、前記第１のアクセス要求はユーザがアクセスする必要があるページの第１のアクセス・アドレスを含む、受信制御モジュールと、
リダイレクト決定指示に従って、前記受信制御モジュールにより受信された前記第１のアクセス応答の復帰コードを修正し、リダイレクト先ページの少なくとも１つの第２のアクセス・アドレスおよび前記第１のアクセス・アドレスを前記第１のアクセス応答に追加するように構成された、処理モジュールと、
送信器を制御することによって、前記処理モジュールによりリダイレクト処理が実施される前記第１のアクセス応答を前記端末装置に送信して、前記端末装置が前記修正された復帰コードに従って第２のアクセス要求を送信し、前記端末装置が、前記第２のアクセス要求に対して返された第２のアクセス応答に従って、前記ユーザがアクセスする必要があるページおよび前記リダイレクト先ページを開くようにするように構成された、送信制御モジュールと、
を備える、ルーティング装置。
【請求項７】
前記受信制御モジュールはさらに、前記受信器を制御することによって、前記第１のアクセス要求に対応し前記ネットワーク・サーバによりフィードバックされた前記第１のアクセス応答を受信する前に、前記受信器を制御することによって、前記端末装置により送信された前記第１のアクセス要求を受信するように構成され、
前記ルーティング装置はさらに、前記リダイレクト決定指示に従って前記第１のアクセス・アドレスを取得し前記第１のアクセス要求に格納するように構成された記憶モジュールを備え、
前記送信制御モジュールはさらに、前記送信器を制御することによって、前記第１のアクセス要求を前記第１のアクセス・アドレスに対応するネットワーク・サーバに送信するように構成される、
請求項６に記載のルーティング装置。
【請求項８】
前記記憶モジュールが前記リダイレクト決定指示に従って前記第１のアクセス・アドレスを取得し前記第１のアクセス要求に格納する前に、リダイレクト処理ルールに従って、前記第１のアクセス要求に対してリダイレクト処理を実施すると決定するように構成された決定モジュールをさらに備え、前記リダイレクト処理ルールは、サーバにより通知されたバージョン更新メッセージが検出されたとき、前記バージョン更新メッセージにおいて、前記リダイレクト先ページのアクセス・アドレスをプロンプト・ページのアクセス・アドレスに設定するステップ、または
新規ショート・メッセージが検出されたとき、前記リダイレクト先ページのアクセス・アドレスを前記新規ショート・メッセージで通知されたプロンプト・ページのアクセス・アドレスに設定するステップを含む、請求項７に記載のルーティング装置。
【請求項９】
前記決定モジュールはさらに、リダイレクトを１度実施した後に前記リダイレクト処理ルールをキャンセルするように構成された、請求項８に記載のルーティング装置。
【請求項１０】
前記受信制御モジュールはさらに、前記送信制御モジュールが、前記送信器を制御することによって、前記処理モジュールによりリダイレクト処理が実施される前記第１のアクセス応答を前記端末装置に送信して、前記端末装置が前記修正された復帰コードに従って前記第２のアクセス要求を送信するようにした後、前記受信器を制御することによって、前記修正された復帰コードに従って、前記第１のアクセス・アドレスおよび前記少なくとも１つの第２のアクセス・アドレスを含み前記端末装置により送信された前記第２のアクセス要求を受信するように構成され、
前記送信制御モジュールはさらに、前記送信器を制御することによって、前記受信制御モジュールが受信した前記第２のアクセス要求を前記第１のアクセス・アドレスおよび前記少なくとも１つの第２のアクセス・アドレスに対応するネットワーク・サーバに送信するように構成され、
前記受信制御モジュールはさらに、前記受信器を制御することによって、前記第２のアクセス要求に対応し前記ネットワーク・サーバによりフィードバックされた前記第２のアクセス応答を受信するように構成され、前記第２のアクセス応答は、前記第１のアクセス・アドレスに対応するアクセス応答および前記少なくとも１つの第２のアクセス・アドレスに対応するアクセス応答を含み、
前記送信制御モジュールはさらに、前記送信器を制御することによって、前記受信制御モジュールにより受信された前記第２のアクセス応答を前記端末装置に送信して、前記端末装置が、前記第２のアクセス応答に従って、前記ユーザがアクセスする必要があるページおよび前記リダイレクト先ページを開くようにするように構成される、
請求項６乃至９の何れか１項に記載のルーティング装置。
【請求項１１】
ルーティング装置に送信された第１のアクセス要求に基づいて、および、端末受信器を制御することにより、リダイレクト処理が実施され前記ルーティング装置により送信された第１のアクセス応答を受信するように構成された端末受信制御モジュールであって、前記第１のアクセス要求はユーザがアクセスする必要があるページの第１のアクセス・アドレスを含み、前記第１のアクセス応答は前記ルーティング装置により修正された復帰コードおよび前記ルーティング装置により追加されたリダイレクト先ページの少なくとも１つの第２のアクセス・アドレスおよび前記第１のアクセス・アドレスを含む、端末受信制御モジュールと、
前記ルーティング装置によりリダイレクト処理が実施される前記第１のアクセス応答に基づいて、前記ユーザがアクセスする必要があるページおよび前記リダイレクト先ページを開くように構成された端末処理モジュールと、
を備える、端末装置。
【請求項１２】
前記端末受信制御モジュールがリダイレクト処理が実施され前記ルーティング装置により送信された前記第１のアクセス応答を受信する前に、端末送信器を制御することによって、前記第１のアクセス要求を前記ルーティング装置に送信して、前記ルーティング装置が前記第１のアクセス・アドレスを取得し前記第１のアクセス要求に格納し、前記ルーティング装置が前記第１のアクセス要求を前記第１のアクセス・アドレスに対応するネットワーク・サーバに送信するようにするように構成された端末送信制御モジュールをさらに備える、請求項１１に記載の端末装置。
【請求項１３】
前記端末送信制御モジュールはさらに、前記ユーザがアクセスする必要があるページおよび前記リダイレクト先ページを前記端末処理モジュールが開く前に、前記端末送信器を制御することによって、前記修正された復帰コードに従って第２のアクセス要求を送信するように構成され、前記第２のアクセス要求は前記第１のアクセス・アドレスおよび前記少なくとも１つの第２のアクセス・アドレスを含み、
前記端末受信制御モジュールはさらに、前記端末受信器を制御することによって、前記第２のアクセス要求に対応し前記ルーティング装置により返された第２のアクセス応答を受信するように構成され、前記第２のアクセス応答は、前記第１のアクセス・アドレスに対応するアクセス応答および前記少なくとも１つの第２のアクセス・アドレスに対応するアクセス応答を含み、
前記端末処理モジュールは特に、前記端末受信制御モジュールにより受信された前記第２のアクセス応答に従って、前記ユーザがアクセスする必要があるページを、前記第１のアクセス要求が前記ルーティング装置に送信されたとき既に開かれている第１のディスプレイ・ウィンドウに表示し、第２のウィンドウを開いて前記リダイレクト先ページを表示するように構成される、
請求項１１または１２に記載の端末装置。
【請求項１４】
請求項６乃至１０の何れか１項に記載のルーティング装置と請求項１１乃至１３の何れか１項に記載の端末装置とを備える、ページ・リダイレクト・システム。